(57)【特許請求の範囲】
【請求項１】
電池を収容するためのポケットを備えた携帯型装置における電池のための防水構造であって、
上記ポケットの開口部を覆うための内カバーと、
上記携帯型装置の外装面の一部を提供する外カバーであって、上記内カバーが上記ポケットの開口部をほぼ覆い尽くした状態を保持する外カバーと、
上記内カバーと上記ポケットの周壁とのすきまを介した上記開口部内への水分侵入が妨げられるよう上記内カバーに装着されたパッキンとを備え、
パッキンが装着された内カバーと、それと一体又は別体の外カバーとが、上記ポケットの開口部に随時着脱され、
上記内カバーが、上記ポケット内に嵌り込むよう設けられた周壁を有し、かつ、上記外カバーの内底面に固着されており、
上記パッキンが、上記ポケットの周壁の内面全周と接触し弾性変形するよう、上記内カバーの周壁の外面に装着されたＯリングであって、
上記外カバーの内底面から見て上記内カバーの周壁より背が高い高背周壁が、上記ポケットの周壁のうち少なくとも一部を包囲するよう、上記外カバーに設けられたことを特徴とする防水構造。
【請求項２】
請求項１記載の防水構造において、
上記外カバーの内底面から見て上記内カバーの周壁より背が低い低背周壁が、上記内カバーの周壁外面のうち少なくとも一部を包囲するよう、かつ上記高背周壁と協働して上記ポケットの周壁の先端を挟持することとなるよう、上記外カバーに設けられており、
上記Ｏリングを定位置装着するための空間が上記低背周壁の先端部との間に形成されるよう、上記内カバーの周壁の先端に、外側に向いた屈曲部が設けられたことを特徴とする防水構造。
【請求項３】
請求項１又は２に記載の防水構造において、
上記内カバーを上記ポケットの内側方向に押圧しつつ上記外カバーを上記ポケットの周壁に対し固定した第１の状態と、当該固定を解いた第２の状態とを呈するロック機構であって、上記外カバーから見て外側からの手動操作に応じその状態が切り替わるよう上記内カバー及び外カバーに組み込まれたロック機構を、備えることを特徴とする防水構造。
【請求項４】
請求項３記載の防水構造において、
上記外カバーの外側からの手動操作により外カバー外底面から起立させうるようかつこの面に直交する軸周りで回動させうるよう上記内カバー及び外カバーに組み込まれ、かつ、起立した状態で回動させることにより上記ロック機構の状態が上記第１及び第２の状態間で切り替わるよう当該ロック機構に連結されたハンドルを、備えることを特徴とする防水構造。
【請求項５】
電池を収容するためのポケットを備えた携帯型装置における電池のための防水構造であって、
上記ポケットの開口部を覆うための内カバーと、
上記携帯型装置の外装面の一部を提供する外カバーであって、上記内カバーが上記ポケットの開口部をほぼ覆い尽くした状態を保持する外カバーと、
上記内カバーと上記ポケットの周壁とのすきまを介した上記開口部内への水分侵入が妨げられるよう上記内カバーに装着されたパッキンとを備え、
パッキンが装着された内カバーと、それと一体又は別体の外カバーとが、上記ポケットの開口部に随時着脱され、
上記パッキンが、上記内カバーの内底面に固着された無孔平板状のパッキンであり、
上記内カバーが、上記開口部の周壁先端と係合し当該開口部と平行な面内におけるその位置を規定する周壁を有し、
上記外カバーが、上記内カバーに対して所定方向にスライド可能に設けられており、
上記パッキンが上記開口部の周壁先端全周に接触するよう上記内カバーを上記開口部に載置し、更にその上に上記外カバーを載置して当該外カバーを当該内カバー方向に押圧した状態で、当該外カバーを上記所定方向に沿い所定位置までスライドさせたとき、当該外カバーが上記ポケットの周壁に係止されることとなるよう、上記ポケットの周壁外面及び上記外カバーにそれぞれツメを設けたことを特徴とする防水構造。
【発明の詳細な説明】
【０００１】
【発明の属する技術分野】
本発明は、船舶上や海浜をはじめとする水際での使用に適した携帯電話等の携帯型装置に関し、特に、当該携帯型装置に装着され必要に応じ交換される電池パックを水分侵入から保護するための防水構造に関する。
【０００２】
【従来の技術】
携帯電話は小型軽量な移動通信端末であり、既に皆国民的な規模で普及している。携帯電話の中には、特定の使用環境を想定して開発・設計されたものがある。例えば、水際で使用される携帯電話を開発・設計する際には、多少水に濡れたり浸かったりしても故障等が生じないよう、防水措置が施される。本願出願人を含め、携帯電話関連企業では、防水性能を確保・向上させるために、多角的な検討が行われている。実際、現在までに開発されている防水型携帯電話では、数分程度或いは更に数十分程度水中に浸かっていたとしても内部浸水及びそれに伴う故障等がほとんど生じないほどまでに、優れた防水性能が実現されつつある。
【０００３】
また、携帯電話を構成するコンポーネントの中でも、電池パックは、エンドユーザ等が交換等を行うことがあるコンポーネントである。そのため、電池パック内への水分侵入を防ぐための防水構造は、本体筐体内に組み込まれている回路基板等のための防水構造からは、独立していなければならない。このように携帯電話本体の防水構造と電池パックの防水構造とを独立させているため、上述した水準の防水性能を得るには、携帯電話本体についての防水措置だけでなく電池パックについての防水措置をも、十分に工夫しなければならない。
【０００４】
図１０に、従来における電池パック防水構造の一例を示す。図中、１０は携帯電話の本体、１２は電池パック、１４は電池パック１２を収容するためのポケットである。ポケット１４は、本体１０の背面下部等に設けられ、電池パック１２を収容できる開口寸法及び深さを有している。電池パック１２は、図中の両端矢印線で示されているように、随時、ポケット１４に着脱可能である。エンドユーザ等は、消耗した電池パック１２を新たな電池パック１２と交換するとき等に、この着脱作業を行う。また、ポケット１４内には、電池パック１２を係止固定するための機構や、電池パック１２を本体１０内の回路に電気的に接続するためのコネクタ等が、設けられている。例えば、図中の１６は電池パック１２を回路に接続するためのコネクタ、１８は電池パック１２を固定するためのツメである。
【０００５】
図１１に、電池パック１２のＡＡ断面を示す。図示したとおり、従来における電池パック１２は、樹脂等により形成されているケース内に起電力を有するセル２０を収納した構造を、有している。この図に示したケースは、セル２０を収容するためのケース本体２２と、このケース本体２２の開口部をふさぐためのフタ２４とにより、構成されている。フタ２４には低背の周壁が、ケース本体２２の側壁先端部にはこの周壁を受容するスリットが、それぞれ設けられており、これら周壁とスリットとのかみ合わせによって、ケース本体２２に対するフタ２４の図中横方向位置が規制・規定されている。
【０００６】
かかる構造のケースにおいては、ケース本体２２とフタ２４の継ぎ目の部分２６から、ケース内部に水分が侵入することが予想される（図１１中の矢印線を参照のこと）。そこで、継ぎ目の部分２６からの水分の侵入ひいてはそれによるセル２０の故障・不調を防ぐため、フタ２４は、超音波による溶着、接着剤による接着固定等の手段によって、ケース本体２２に対して固定される。
【０００７】
【発明が解決しようとする課題】
ここに、ケース本体２２に対するフタ２４の溶着不良或いは接着不良が生じると期待通りの防水性能が得られない。そのため、電池パック１２の製造に際しては、セル２０をケースに組み込む工程や溶着・接着等によりフタ２４を固定する工程を実施した後、リーク検査機等を用いて検査を行う必要がある。この検査の結果、溶着又は接着が不良で防水性能に関する基準を満たせないことが判明した品は除外され、手作業を含む別工程に投入される。
【０００８】
即ち、一般にセル２０は高価であるためこの種の不良品をそのまま廃棄するのは不経済であるし、他方で外からの目張り（修繕）では継ぎ目の部分２６における面対面の溶着又は接着不良を十分に直せないことから、従来は、継ぎ目の部分２６を剥がす等してケースを開き、中のセル２０を取り出し、取り出したセル２０を前工程に戻してあたらしいケースに組み込む、という一連の作業を行っていた。この一連の作業のうち、ケースを開く作業及びセル２０を取り出す作業は、機械化が難しい（機械化するよりは手作業の方が低コストですむ）。また、溶着又は接着不良が生じたケースは、セル２０を取り出すときに破壊されるため、廃棄せざるを得ない。
【０００９】
このように、従来は、ケースを水密封止するための溶着・接着等に不良が生ずることがあり、それをフォローする手作業に起因した生産性低下やケース廃棄等に伴うコストアップといった問題があった。本発明は、このような問題点を解決することを課題としてなされたものであり、防水型携帯電話等の携帯型装置に適し、その電池に関して高水準の防水性能を安定して得られるだけでなく、溶着や接着によりケースを厳重に封止する必要がない防水構造を、提供することを目的としている。
【００１０】
【課題を解決するための手段】
このような目的を達成するために、本発明に係る防水構造は、（１）電池を収容するためのポケットを備えた携帯型装置における電池のための防水構造であって、（２）上記ポケットの開口部を覆うための内カバーと、（３）上記携帯型装置の外装面の一部を提供する外カバーであって、上記内カバーが上記ポケットの開口部をほぼ覆い尽くした状態を保持する外カバーと、（４）上記内カバーと上記ポケットの周壁とのすきまを介した上記開口部内への水分侵入が妨げられるよう上記内カバーに装着されたパッキンとを備え、（５）パッキンが装着された内カバーと、それと一体又は別体の外カバーとが、上記ポケットの開口部に随時着脱され、（６）上記内カバーに、ポケット内に嵌り込むよう周壁を設け、更にこの内カバーを外カバーの内底面に固着し、（７）上記パッキンとして用いるＯリングを、ポケットの周壁の内面全周と接触し弾性変形するよう内カバーの周壁の外面に装着され、（８）上記外カバーに、外カバーの内底面から見て内カバーの周壁より背が高い高背周壁を設け、上記高背周壁は、ポケットの周壁のうち少なくとも一部を包囲するよう、外カバーに設けられることを特徴とする。
【００１１】
また、本発明の好適な実施形態に係る防水構造においては、外カバーに、外カバーの内底面から見て内カバーの周壁より背が低い低背周壁を設ける。この低背周壁は、内カバーの周壁外面のうち少なくとも一部を包囲するよう、かつ高背周壁と協働してポケットの周壁の先端を挟持することとなるよう、設ける。また、内カバーの周壁の先端に、外側に向いた屈曲部を設け、Ｏリングを定位置装着するための空間を低背周壁の先端部との間に形成するのが、望ましい。更に、内カバーをポケットの内側方向に押圧しつつ外カバーをポケットの周壁に対し固定した第１の状態と、当該固定を解いた第２の状態とを呈するロック機構を、設けるのが望ましい。このロック機構は、外カバーから見て外側からの手動操作に応じその状態が切り替わるよう、内カバー及び外カバーに組み込まれる。このロック機構には、更にハンドルを連結するのが望ましい。このハンドルは、例えば、外カバーの外側からの手動操作により外カバー外底面から起立させうるようかつこの面に直交する軸周りで回動させうるよう、内カバー及び外カバーに組み込まれ、かつ、起立した状態で回動させることによりロック機構の状態が第１及び第２の状態間で切り替わるよう当該ロック機構に連結される。
【００１２】
本発明の他の好適な実施形態においては、パッキンとして、内カバーの内底面に固着された無孔平板状のパッキンを用いる。内カバーは、ポケットの開口部の周壁先端と係合し当該開口部と平行な面内におけるその位置を規定する周壁を有する。外カバーは、内カバーに対して所定方向にスライド可能に設けるものとし、ポケットの周壁外面及び外カバーにはそれぞれツメを設けるものとする。これらのツメは、パッキンがポケットの開口部の周壁先端全周に接触するよう内カバーを当該開口部に載置し、更にその上に外カバーを載置して当該外カバーを内カバー方向に押圧した状態で、外カバーを上記所定方向に沿い所定位置までスライドさせたとき、当該外カバーがポケットの周壁に係止されることとなるよう、設けるものとする。
【００１３】
【発明の実施の形態】
以下、本発明の好適な実施形態に関し図面に基づき説明する。なお、以下の説明では防水型携帯電話への適用例を示すが、本発明は、その本質を損なわない限りにおいて、他種の携帯型装置にも適用できる。また、電池パックそれ自体の構造については特に説明しないが、本発明では外カバーと内カバーによる二重カバー構造にＯリング等のパッキンを組み込むことによって防水性、生産性、外装性等を並立させているため、電池パックについては、図１１に示した従来技術における電池パック１２に比べて簡素な構造、即ちさほど厳重には防水措置を施していない構造にすることができる。より本質的には、携帯型装置を動作させるための電池（セル自体やそれが組み込まれている電池パック等）として機能するコンポーネントであればよい。
【００１４】
図１乃至図４に、本発明の第１実施形態に係る防水構造を示す。図１中、２８は携帯電話の本体、３０は電池パック３６を収容するためのポケットである。ポケット３０は、例えば携帯電話の背面下部に設けられており、電池パック３６を収納し更に二重カバー構造をその開口部に装着できるよう、その寸法、形状等が設計されている。また、この図においては、構造を簡明に示すため、外カバー３２及び内カバー３４により構成される二重カバー構造や、それに組み込まれたロック機構を、分解して描いている。コネクタ類も図示を省略している（隠れている）。
【００１５】
更に、本実施形態における二重カバー構造は、外カバー３２の内底面に内カバー３４の外底面を接着剤等により固定し、更にそれにロック機構を組み込んだ構造である。ねじ等による固定は採用していない。ここでいう外カバー３２の「内底面」とは、図１中で下を向いており隠れている面であり、内カバー３４の「外底面」とは、図１中に現れている上側の面である。また、図１中、内カバー３４の外底面上に描かれている斜線の部分３８は、外カバー３２との固定のための面である。好ましくは、この部分３８に接着剤を塗布し、外カバー３２に内カバー３４を接着する。
【００１６】
内カバー３４は、図２（ＢＢ断面）及び図３（ＣＣ断面）に示されるように周壁４０を有している。周壁４０の先端部４２は外側に向け屈曲している。周壁４０は内カバー３４を全周に亘り取り巻いており、従ってその先端部４２は内カバー３４を全周に亘り縁取っている。この縁取りの外形寸法、即ち内カバー３４の輪郭寸法は、図２に示すように、ポケット３０の開口部にほとんど隙間なく嵌り込むよう、設定されている。言い換えれば、二重カバー構造をポケット３６の開口部に装着したとき内カバー３４が果たす役割の一つは、ポケット３０の開口部を塞ぐことである。更に、内カバー３４の周壁４０の外面には、Ｏリング５６が装着される。このＯリング５６は、ポケット３０の開口部に二重カバー構造を装着した状態においては、ポケット３０の周壁６４と内カバー３４の周壁４０との隙間を塞ぐ。
【００１７】
内カバー３４には、更に、回転ロック４４を収納するための凹部４６、回転ロック４４を内カバー３４に固定するためのツメ４８、回転ロック４４の先端に設けられたロック用ツメ５０の回動スペース５２等も設けられている。回転ロック４４、そのツメ４８、板バネ４９等は、ロック部６２と共に、二重カバー構造をポケット３０の開口部に固定／固定解除するロック機構を構成している。ロック部６２は、ポケット３０の周壁６４の一部であり、周壁６４の他の部分に比べて高背であり、またこの図の例ではポケット３０の左右両側に設けられている。その内側の壁面には、ロック用ツメ５０の先端と係合する凹部６１が設けられており、ロック用ツメ５０の先端がこの凹部６１に係合すると固定状態、その係合がはずれると固定解除状態となる。板バネ４９は、固定／固定解除操作持にクリック感を生ぜしめる。これらロック機構は、エンドユーザ等がアクセスする部位、例えばハンドル４５等の部位を除き、外カバー３２により覆われているため、破損しにくい。
【００１８】
また、ハンドル４５はこのロック機構の手動操作を簡便化するための部材であり、このハンドル４５の両端は、回転ロック４４により軸支されている。外カバー３２には、ユーザがハンドル４５或いはロック機構にアクセスできるよう、ほぼ円形の孔４７が設けられている。ハンドル４５は、ちょうど図１に示したごとく寝かせた状態にすることもできるし、図２に示すように孔４７を通じて外方へ起立させた状態にすることもできる。また、図１中両矢印線で示すように、ハンドル４５を外カバー３２の外底面に対して直交する軸周りで回動させると、ロック用ツメ５０が回動スペース５２内で連動回動する。従って、二重カバー構造をポケット３０の開口部に着脱する際には、ユーザは、ハンドル４５を起立させ、そこを指でつまむ等して、ハンドル４５の回動操作を行えばよい。なお、多少操作上の利便性が損なわれるが、ハンドル４５を省略し、コイン等を差し込むことができるスリットを回転ロック４４の外部露出面に設ける等して、部材個数低減を図ってもよい。
【００１９】
更に、内カバー３４の外底面に設けられている凹凸のうち、凹部４６、回動スペース５２等はロック機構やハンドル４５を設けるためのスペースである。内カバー３４には、通気膜５４を設けるための通気口（図では通気膜５４により隠されている）を除き、孔はあいていない。通気膜５４は、外カバー３２・内カバー３４間の密閉空間とポケット３０内空間とを連通させる膜５４である。通気膜５４を設けて圧力差を解消・低減しているため、ポケット３０内外の圧力差の変動を吸収できる。そのため、二重カバー構造をポケット３０の開口部からはずす際等に、ハンドル４５を大きな力で引っ張る必要もない。また、通気膜５４は外カバー３２によりエンドユーザ等に対し隠されているため、エンドユーザ等が誤って剥がしてしまうことはない。
【００２０】
他方、外カバー３２にも、周壁５８及び６０が設けられている。周壁５８及び６０は外カバー３２を取り巻いている。但し、ロック部６２等と抵触しないよう、図１に示すように一部欠けている。また、外カバー３２の内底面を基準として内カバー３４の周壁４０と比べると、外側にある周壁５８は背が高く、内側にある周壁６０は背が低い。前者即ち高背周壁５８の外面は、外カバー３２の外底面（図１中、上側の面）と共に、携帯電話の外装の一部となっている。即ち、外カバー３２は、携帯電話の外装面の一部を構成している。また、ポケット３０の開口部に二重カバー構造を装着する際には、図４（ａ）〜（ｄ）に示すように、周壁４０より背が高い高背周壁５８が、案内役を果たす。これによって、装着作業等の簡便性が高められている。
【００２１】
また、高背周壁５８ともう一つの周壁即ち低背周壁６０との間隙部分６８（図４参照）は、周壁６４の先端部６６を受容及び挟持するためのスリットとなっている。このスリット６８の幅は、ポケット３０の周壁６４の先端部６６をほぼきっちり隙間なしに受容できるよう、設定されている。ポケット３０の開口部に二重カバー構造を装着する際には、先に述べたように高背周壁５８を案内役として用い、このスリット６８に周壁６４の先端部６６が嵌るようにポケット３０に対する二重カバー構造の位置を概ね決めて、図４（ａ）〜（ｄ）に示す流れで装着工程を実施する。装着後においては、スリット６８は、周壁６４の先端部６６を挟持して固定する役割を有する。また、周壁６４の外面に設けられている突起７０は、高背周壁５８の先端部を制止するストッパとなっている。
【００２２】
低背周壁６０は、同時に、Ｏリング５６の位置を決める役割も果たしている。即ち、図２乃至図４に示すように、内カバー３４の周壁４０の外面に装着されたＯリング５６の位置は、ポケット３０の開口面に平行な方向においては周壁４０の外面により、それと直交する方向においては周壁４０の先端部４２と低背周壁６０の先端部とにより、それぞれ規定されている。特に図４にわかりやすく示されているとおり、Ｏリング５６は、周壁４０の外面と周壁６６の内面とにより挟まれ（つぶされ）内カバー３４と周壁６６との隙間を塞ぐだけでなく、周壁６４の先端部６６によって低背周壁６０の先端部にも押しつけられるため、外カバー３２と周壁６４との隙間や、低背周壁６０と周壁４０との隙間をも塞ぐこととなる。
【００２３】
このように、本実施形態においては、図１０及び図１１に示した従来例におけるフタ２４の役割のうち、携帯電話外装面の一部をなすという役割を、外カバー３４に負わせている。従来は、この役割を負っている部材であるフタ２４とケース本体２２との溶着又は接着によってセル２０を防水していたが、その結果として不良発生時対処が高コストとなっていた。それに対して、本実施形態では、外装の役割を負っている外カバー３２とは別の部材である内カバー３４によってポケット３０の開口部を覆い、また内カバー３４がポケット３０の開口部をほぼ覆い尽くすよう外カバー３２特にその高背周壁５８及びスリット６８により内カバー３４を開口部に対し位置決めし、そして、この内カバー３４に装着された一種のパッキンであるＯリング５６によって内カバー３４とポケット３０の周壁６４との隙間を塞いで、ポケット３０内への水分侵入を防いでいる。即ち、従来不良発生原因となっていた継ぎ目部分２６の溶着・接着に相当する措置は、採られていない。
【００２４】
従って、本実施形態に係る防水構造によれば、継ぎ目部分２６の溶着・接着不良自体が発生しないことから、生産性向上、不良対策コスト低減、歩留まり向上等の効果が得られる。なお、本実施形態でも内カバー３４を外カバー３２に接着等しているが、接着部分３８は水分侵入阻止に直接寄与する部分ではないことから、仮にこの接着に不良が発生しても、各種部材の破壊・破棄を伴うような措置を採る必要はない。
【００２５】
更に、従来例においては、フタ２４が外装面の一部をなしているため、電池パック１２のケース設計を機種毎に決めねばならなかった。即ち、意匠、質感等を含め外観・外形設計が異なる機種間で、同一設計のケースを用いた電池パック１２を使用することはできなかった。これに対して、本実施形態で機種の外観・外形設計に依存する部材は主として外カバー３２であり、その他の部材、特に防水対象である電池パック３６は外装デザインに関連していない。そのため、本実施形態によれば、同一設計の電池パック３６を異機種間転用できる。これによって、電池パック３６の生産コストダウンや外装関連の開発コストダウンが容易となっており、ひいては携帯電話の価格もより抑えることができる。
【００２６】
また、携帯電話等の携帯型装置においては、一般に、エンドユーザ等が電池交換等を行う。そのため、防水措置を採っていることが原因で電池交換作業が面倒なものになることは、可能な限りさけたい。そこで、本実施形態においては、内カバー３４と外カバー３２とを接着等により一体化し、それによって形成された二重カバー構造をポケット３０の開口部に随時着脱できるようにしている。また、パッキンとしては、Ｏリング５６を内カバー３４に装着している。二重カバー構造を装着・固定するための部材として、ねじ等を用いていないし、ポケット３０に通ずる孔も設けていない。従って、エンドユーザ等にしてみれば、二重カバー構造の着脱という簡便な作業によって電池パック３６を交換できる。更に、その作業に際しては、ハンドル４５の操作或いはコイン等による操作を行えばよく、煩わしさはほとんど感じられない。内カバー３４と外カバー３２とを接着等により一体化しているため、外カバー３２が内カバー３４から浮き上がりにくい。
【００２７】
更に、防水型の携帯型装置に対しては、エンドユーザ等が電池交換を繰り返してもその電池に関する防水性能が劣化しないことが求められる。本実施形態では、Ｏリング５６は内カバー３４への装着という安定した形態で二重カバー構造に組み込まれており、電池交換作業がしばしば繰り返されても防水性能に顕著な劣化は生じない。より具体的には、ポケット３０内に嵌り込むよう設けた内カバー３４の周壁４０を外カバー３２の内底面に固着する一方で、Ｏリング５６を内カバー３４の周壁４０の外面に装着し、二重カバー構造を開口部に装着する際に、このＯリング５６が、ポケット３０の周壁６６の内面全周と接触して弾性変形するようにしている。Ｏリング５６の位置は、前述の通り周壁４０、その先端部４２、低背周壁６０等の作用によって安定的に保たれており、また、二重カバー構造のＯリング５６配設部位に周壁６４の先端部６６が入ってくる向きも、周壁群（４０，５８，６４）等の作用によってほぼ一定となっている。そのため、水分侵入経路を全周に亘って塞ぐことができ、またＯリング５６が異形変形することや傷つくこともないことから、着脱が繰り返されても防水性能はさほど損なわれない。また、Ｏリング５６の弾性変形方向は、例えば図４（ｄ）に示されるように、開口面と平行な方向即ちロック用ツメ５０の回動面と平行な方向であるから、Ｏリング５６からロック機構に負担が及ぶこともない。
【００２８】
このように、本実施形態によれば、防水型携帯電話等の携帯型装置に適し、その電池パック３６に関して高水準の防水性能を安定して得られる防水構造を、提供することができる。例えば、本実施形態に係る防水構造を電池部分に施した携帯電話を深さ１ｍの静水中に３０分間浸しても、ポケット３０ひいては電池パック３６への水分侵入は、ほとんど生じない。また、電池の防水に関する先行技術文献として、特開平８−１７４１３号公報（本体側へのパッキンの装着等）、特開平８−７７９９０号公報（スライド開口式のフタ等）、特開平１１−２５９４０号公報（スライド開口式のフタとフタ側パッキン等）等の文献があるが、これらの文献に記載されている技術を組み合わせても、本実施形態のごとき二重カバー構造は得られないし、上掲のごとき防水性能を安定的に得ながら前述の問題点を解消し生産性、コスト、歩留まり等を改善することはできない。
【００２９】
図５乃至図９に、本発明の第２実施形態に係る防水構造を示す。図５中、７２は携帯電話の本体、７４は電池パック７６を収容するためのポケットである。この図においては、構造を簡明に示すため、外カバー７８及び内カバー８０により構成される二重カバー構造をポケット７４の開口部からはずした状態を、描いている。本実施形態では、外カバー７８と内カバー８０は別体である。また、外カバー７８を本体７２に固定する手段として、外カバー７８の周壁８２の内面に複数個（図５中、左右合計で８個）のツメ８４を、またこれに対応して本体７２の側面に複数個のツメ８６を、それぞれ設けている。即ち、ツメ８４がツメ８６の下側に引っかかるよう、図５中白抜き矢印線で示すように外カバー７８をスライドさせて組み付ければ、外カバー７８は本体７２に固定される。固定を解除するときは、逆の操作となる。なお、周壁８２は、スライド可能にするため、図５に示す例では左右のみに設けている。
【００３０】
また、内カバー８０は、図６（ＤＤ断面）及び図７（ＥＥ断面）にも示されるように全周に亘り周壁８８を有しており、またその内底面には平板無孔状のパッキン９０が組み込まれている。好ましくは、このパッキン９０は内カバー８０の内底面に接着等する。周壁８８の寸法・形状は、内カバー８０をポケット７４の開口部に装着したときに、全周に亘ってその内面が周壁９２の外面と概ね面接触するよう、設定されている。本実施形態に係る二重カバー構造をポケット７４の開口部に装着する際には、まず周壁８８を周壁９２に対して位置決めして内カバー８０を当該開口部に装着し、その後、先に述べたとおりの手法で外カバー７８を装着及び係止固定する。この作業が行われると、パッキン９０は、周壁９２の先端に設けられているリブ９３と密着し、その結果として、内カバー８０と本体７２との間が好適にふさがれる。また、スライドするのは外カバー７８であり内カバー８０はスライドしないため、スライドに伴ってパッキン９０が撚れることもパッキン９０に傷が付くこともない。なお、図７中の９４は、周壁８８を制止するため周壁９２の外面に設けられた突起である。
【００３１】
このように、本実施形態においては、図１０及び図１１に示した従来例におけるフタ２４の役割のうち、携帯電話外装面の一部をなすという役割を、外カバー７８に負わせている。本実施形態では、この外カバー７８とは別の部材である内カバー８０によって、ポケット７４の開口部を覆っている。より詳細には、周壁８８対周壁９２による開口部並行方向位置決め及び外カバー７８による垂直方向位置決めによって、内カバー８０がポケット７４の開口部をほぼ覆い尽くすよう内カバー８０を開口部に対し位置決めし、そして、この内カバー８０に装着されたパッキン９０によって内カバー８０とポケット７４の周壁９２との隙間を塞いで、ポケット７４内への水分侵入を防いでいる。従って、従来不良発生原因となっていた継ぎ目部分２６の溶着・接着に相当する措置は採られておらず、その結果として生産性向上、不良対策コスト低減、歩留まり向上等の効果が得られる。
【００３２】
また、先に述べたように着脱に伴いパッキン９０に撚れや傷が生じることはないこと、ツメ８４及び８６を複数個ずつ設けているため荷重が分散されパッキン９０とリブ９３の接触部全周に亘り良好な密着となること、図８（ｂ）及び図９（ｂ）中に矢印線で示すように内カバー８０とパッキン９０との間に水分が侵入してもその水分はポケット７４内に侵入しないこと等から、本実施形態における防水性能は安定であり、ユーザによる二重カバー構造及び電池パック７６の繰り返し着脱にも十分耐えて継続的に防水性能を提供できる。
【００３３】
なお、図８（ａ）及び図９（ａ）は、本実施形態との対比として方形枠状のパッキン９０Ａを用いた例を示したものである。この形状では、周壁８８と突起９４の間及び内カバー８０とパッキン９０との間に隙間があるとポケット７４内に水分が侵入する可能性がある。これに対して、本実施形態では、パッキン９０が無孔平板状であるため侵入経路がふさがれる。
【００３４】
更に、本実施形態でも、第１実施形態と同様の理由で、同一設計の電池パック７６を異機種間転用でき、電池パック７６の生産コストダウン及び開発コストダウンが容易で、ひいては携帯電話の価格もより抑えることができる。電池パック７６を交換等する際の作業も簡便なものである。特開平８−１７４１３号公報、特開平８−７７９９０号公報、特開平１１−２５９４０号公報等に記載の技術を組み合わせても、本実施形態のごとき二重カバー構造は得られないし上掲のごとき効果は生じない。これらの点を含め、本実施形態によれば、防水型携帯電話等の携帯型装置に適し、その電池パック７６に関して高水準の防水性能を安定して得られるだけでなく、溶着や接着によりケースを厳重に封止する必要がない防水構造を、提供することができる。
【図面の簡単な説明】
【図１】  本発明の第１実施形態に係る防水構造を示す分解斜視図である。
【図２】  本実施形態の構造を示すＢＢ断面図である。
【図３】  本実施形態の構造を示すＣＣ断面図である。
【図４】  本実施形態における装着時手順をＣＣ断面において示す図であり、特に（ａ）、（ｂ）、（ｃ）、（ｄ）の順に、装着開始から装着終了までの経過状態を示す図である。
【図５】  本発明の第２実施形態に係る防水構造を示す分解斜視図である。
【図６】  本実施形態の構造を示すＤＤ断面図である。
【図７】  本実施形態の構造を示すＥＥ断面図である。
【図８】  本実施形態におけるパッキン形状を示す図であり、特に（ｂ）は本実施形態で使用する無孔平板状パッキンを、（ａ）はそれと対比される方形枠状パッキンを、それぞれ示す斜視図である。
【図９】  本実施形態における無孔平板状パッキンの利点の一つを示す図であり、特に（ｂ）は本実施形態で使用する無孔平板状パッキンによる侵入防止を、（ａ）はそれと対比される方形枠状パッキンによる侵入を、それぞれ横断面において示す図である。
【図１０】  従来例に係る電池パックを示す斜視図である。
【図１１】  その防水構造を示すＡＡ断面図である。
【符号の説明】
２８，７２  本体、３０，７４  ポケット、３２，７８  外カバー、３４，８０  内カバー、３６，７６  電池パック、３８  接着部分、４０，６４，８２，８８，９２  周壁、４２，６６  先端部、４４  回転ロック、４５  ハンドル、４９  板バネ、５０  ロック用ツメ、５４  通気膜、５６  Ｏリング、５８  高背周壁、６０  低背周壁、６１  凹部、６２  ロック部、６８  スリット、８４，８６  ツメ、９０  パッキン、９３  リブ。
【図１】
0003643358.tif 000002
【図２】
0003643358.tif 000003
【図３】
0003643358.tif 000004
【図４】
0003643358.tif 000005
【図５】
0003643358.tif 000006
【図６】
0003643358.tif 000007
【図７】
0003643358.tif 000008
【図８】
0003643358.tif 000009
【図９】
0003643358.tif 000010
【図１０】
0003643358.tif 000011
【図１１】
0003643358.tif 000012